(57)【要約】【課題】使用者がデモモード設定を容易に解除することができる洗濯機を提供する。【解決手段】洗濯物を投入する洗濯槽内に給水して洗濯を行う通常運転モードと、給水を停止して動作の実演を行うデモ運転モードとを有し、デモ運転モードの実行後に電源を停止して次回電源を投入した際にデモ運転モードが立ち上がる洗濯機において、デモ運転モードが立ち上がってから第１待機期間内（ステップ♯３１）に所定の続行操作を行った場合にデモ運転モードを続行し、続行操作を行わない場合に通常運転モードに移行する。【選択図】図３
2012147979.tif 000002
【特許請求の範囲】
【請求項１】
洗濯物を投入する槽内に給水して洗濯を行う通常運転モードと、給水を停止して動作の実演を行うデモ運転モードとを有し、前記デモ運転モードの実行後に電源を停止して次回電源を投入した際に前記デモ運転モードが立ち上がる洗濯機において、前記デモ運転モードが立ち上がってから第１待機期間内に所定の続行操作を行った場合に前記デモ運転モードを続行し、前記続行操作を行わない場合に前記通常運転モードに移行することを特徴とする洗濯機。
【請求項２】
前記通常運転モードは第１待機期間よりも長い第２待機期間内に何も操作が行われなかった際に電源を停止することを特徴とする請求項１に記載の洗濯機。
【請求項３】
洗濯コースの洗濯操作を行うコース選択部を設け、第１待機期間内で前記続行操作の前に前記コース選択部の操作を行った際に前記通常運転モードに移行することを特徴とする請求項１または請求項２に記載の洗濯機。
【請求項４】
洗濯の開始を指示するスタート指示部を設け、第１待機期間内で前記続行操作の前に前記スタート指示部の操作を行った際に前記通常運転モードに移行することを特徴とする請求項１または請求項２に記載の洗濯機。
【発明の詳細な説明】
【技術分野】
【０００１】
本発明は洗濯物の洗濯を行う洗濯機に関し、特にデモ運転モードを有する洗濯機に関する。
【背景技術】
【０００２】
一般に店頭での実演を目的としてデモ運転モードが電気機器に備えられており、デモ運転モードが設定された電気機器が特許文献１に開示される。特許文献１の空気調和機はデモ運転モードの設定内容を記憶するメモリと、再度電源投入時にメモリに記憶されたデモ運転モードを行うデモ運転モード手段とを備える。これにより、一度デモ運転モードを設定すると意識的に解除しない限り、次回電源投入時に再設定しなくてもデモ運転モードを起動させることができる。
【先行技術文献】
【特許文献】
【０００３】
【特許文献１】特開２００２−８９９４３号公報
【発明の概要】
【発明が解決しようとする課題】
【０００４】
しかしながら、特許文献１の空気調和機によると、デモ運転モードが設定された展示品を購入した使用者が家で最初に電源投入した時、デモ運転モードが起動する場合がある。このため、使用者が特殊な方法によりデモ運転モードの解除設定を行う必要があり、利便性が悪いことが問題であった。この問題は、同様のデモ運転モードを備える洗濯機において同様に問題となっていた。
【０００５】
そこで、本発明は利便性を向上できる洗濯機を提供することを目的とする。
【課題を解決するための手段】
【０００６】
上記目的を達成するために本発明の洗濯機は、洗濯物を投入する槽内に給水して洗濯を行う通常運転モードと、給水を停止して動作の実演を行うデモ運転モードとを有し、前記デモ運転モードの実行後に電源を停止して次回電源を投入した際に前記デモ運転モードが立ち上がる洗濯機において、前記デモ運転モードが立ち上がってから第１待機期間内に所定の続行操作を行った場合に前記デモ運転モードを続行し、前記続行操作を行わない場合に前記通常運転モードに移行することを特徴とする。
【０００７】
この構成によると、電源を投入後デモ運転モードが立ち上がった際に、所定時間無操作の状態が続くと通常運転モードに移行する。
【０００８】
また、本発明の洗濯機は、上記構成において、前記通常運転モードは第１待機期間よりも長い第２待機期間内に何も操作が行われなかった際に電源を停止することを特徴とする。
【０００９】
また、本発明の洗濯機は、上記構成において、洗濯コースの洗濯操作を行うコース選択部を設け、第１待機期間内で前記続行操作の前に前記コース選択部の操作を行った際に前記通常運転モードに移行することを特徴とする。
【００１０】
また、本発明の洗濯機は、上記構成において、洗濯の開始を指示するスタート指示部を設け、第１待機期間内で前記続行操作の前に前記スタート指示部の操作を行った際に前記通常運転モードに移行することを特徴とする。
【発明の効果】
【００１１】
本発明によると、電源を投入後、デモ運転モードが立ち上がってから所定時間無操作の状態が続くと通常運転モードに移行する。このため、使用者がデモ運転モードの設定解除を特別意識することなく行うことができる。従って、洗濯機の利便性を向上させることができる。
【図面の簡単な説明】
【００１２】
【図１】本発明の実施形態に係る洗濯機を前方斜め上視点で示す斜視図である。
【図２】本発明の実施形態に係る洗濯機の構成を示すブロック図である。
【図３】本発明の実施形態に係る洗濯機の各工程の動作制御を示すフローチャートである。
【発明を実施するための形態】
【００１３】
以下本発明をその実施の形態を示す図面に基づいて詳述する。図１は本発明の実施形態に係る洗濯機を前方斜め上視点で示す斜視図である。
【００１４】
洗濯機１は全自動型であり、直方体形状の外箱１０を備えている。外箱１０は略直方体に成形され、その上下は開放されている。外箱１０の上側開放部は上面板１１で覆われている。また、上面板１１の前面側には洗濯機の操作を行う操作部７１が設けられている。
【００１５】
上面板１１の中央部には洗濯機１内に洗濯物を投入するための出入口１１ａが開設されている。出入口１１ａはヒンジ部１５ａで枢支される蓋部１５によって開閉される。蓋部１５を上下に回動させて出入口１１ａを開閉することにより、脱水槽３０に洗濯物を投入したり、脱水槽３０から洗濯物を取り出すことができる。また、水槽（不図示）及び脱水槽３０がともに上面が開口した有底筒状に形成され、各々軸線を垂直にして水槽を外側、脱水槽３０を内側とする形で同心的に配置される。
【００１６】
図２は洗濯機１の構成を示すブロック図である。制御部７０にはモータ４１、クラッチ・ブレーキ機構４３、送風機５０、ヒータ５４、給水弁７７、操作部７１、表示部７２、記憶部７９が接続される。
【００１７】
モータ４１及びクラッチ・ブレーキ機構４３は水槽の下面に取り付けられ、洗濯工程及び乾燥工程において脱水槽３０を回転させる。給水弁７７を介して給水口（不図示）が市水に接続され、給水弁７７を開くことにより脱水槽３０に給水する。送風機５０及びヒータ５４は脱水槽３０内に温風を送出する。
【００１８】
制御部７０は記憶部７９にあらかじめ格納されている制御プログラムを読み出して命令の解読および実行を行う。これにより、モータ４１、クラッチ・ブレーキ機構４３、送風機５０、ヒータ５４、給水弁７７の駆動・停止を制御することができる。また、一時的に発生したデータは記憶部７９に記憶する。記憶部７９には通常運転モードの運転プログラム及びデモ運転モードの運転プログラムが記憶してある。なお、通常運転モードとは洗濯物を脱水槽３０内に投入後、脱水槽３０内に給水して洗濯を行うモードである。デモ運転モードとは給水を停止して動作の実演を行うモードである。
【００１９】
表示部７２は操作部７１に設けられ、洗濯機１の操作画面や動作状態を表示する。操作部７１には電源キー、スタートキー（スタート指示部）、コース選択キー（コース選択部）等各種操作ボタンを備えている。操作部７１の入力により制御部７０がプログラムの実行を行う。なお、電源キーは電源の投入を指示し、スタートキーは洗濯の開始を指示し、コース選択キーは洗濯コースの操作選択を行う。
【００２０】
図３は本実施形態に係る洗濯機１の各工程の動作制御を示すフローチャートである。上記構成の洗濯機１において、通常運転モードと店頭での実演を目的とするデモ運転モードの運転プログラムは記憶部７９に内蔵されている。
【００２１】
電源を投入したとき、ステップ♯１１では電源投入時にデモ運転モードを立ち上げるか否かを示すフラグＦに１が記憶されているか否かが判断される。フラグＦに１が記憶されている場合はステップ♯３１に移行し、フラグＦに１が記憶されてない場合はステップ♯１２に移行する。即ち、フラグＦが１のときにデモ運転モードが実行され、フラグＦが０のときに通常運転モードが実行される。
【００２２】
ステップ♯１２では所定時間（例えば、電源投入後１０分）が経過したか否かが判断される。所定時間が経過していない場合はステップ♯１３で操作部７１の操作が行われたか否かが判断される。操作部７１の操作が行われていない場合はステップ♯１２、ステップ♯１３が繰り返し行われる。そして、所定時間が経過するとステップ♯２５に移行し、所定時間内に操作部７１の操作が行われるとステップ♯１４に移行する。
【００２３】
ステップ♯１４では所定のデモ可能時間（例えば、電源投入後５分）が経過しているか否かが判断される。デモ可能時間が経過していなければステップ♯１５に移行し、デモ可能時間が経過していればステップ♯２１に移行する。ステップ♯１４で判断するデモ可能時間はステップ♯１２で判断する所定時間より短い。即ち、ステップ♯１４で判断されるデモ可能時間をデモ運転モードへの移行期間とすると、デモ運転モード移行期間経過後はデモ運転モードへの移行が禁止され、通常運転モードの操作のみが受付けられる。
【００２４】
ステップ♯１５ではステップ♯１３の操作がデモ運転モードを実行するのに予め設定されたボタン操作であるか否かが判断される。ボタン操作がデモ運転モードを実行するものであればステップ♯３４に移行する。これにより、通常運転モードからデモ運転モードに切り替えられる。
【００２５】
一方、ステップ♯１３で行われたボタン操作が通常のコース選択等を目的とするする操作であってデモ運転モードを実行するものでないとステップ♯１５で判断した場合、ステップ♯２１に移行する。
【００２６】
ステップ＃２１では電源キーによって電源オフの操作が行われたか否かが判断される。電源オフの操作が行われていない場合はステップ＃２２に移行する。ステップ＃２２ではスタートキーの操作によって洗濯開始の指示があったか否かが判断される。洗濯開始の指示がない場合はステップ＃１２に戻り、ステップ＃１２〜＃２２が繰り返し行われる。
【００２７】
ステップ＃２２の判断で洗濯開始の指示があると、ステップ＃２３に移行する。ステップ♯２３では使用者により入力された設定に従って、洗濯及び乾燥の通常運転が実行される。ステップ♯２４では通常運転が終了するまで待機する。通常運転が終了するとステップ♯２５に移行してフラグＦに０が記憶される。これにより、デモ運転モードがオフであることが記憶部７９に記憶され、ステップ＃２６に移行して電源が停止される。このとき、デモ運転モードがオフであることが記憶されており、次回電源投入時に通常運転モードが立ち上がる。
【００２８】
なお、ステップ＃２１の判断によって電源オフの操作が行われた場合及びステップ＃１２の判断によって所定時間が経過した場合、ステップ♯２５に移行してフラグＦに０が記憶され、ステップ♯２６で電源が停止される。
【００２９】
一方、ステップ♯１１でフラグＦに１が記憶されている場合、ステップ♯３１に移行してデモ運転モードが立ち上がる。ステップ＃３１ではデモ運転モードが立ち上がってから所定時間（例えば、電源投入後２秒）が経過したか否かが判断される。所定時間が経過していない場合は、ステップ＃３２でスタートキーの操作が行われたか否かが判断される。スタートキーの操作が行われていない場合は、ステップ＃３３でコース選択キーの操作が行われたか否かが判断される。
【００３０】
コース選択キーの操作が行われていない場合はステップ＃３４に移行し、デモ運転モードを続行する所定の続行操作が行われたか否かが判断される。続行操作が行われていない場合はステップ＃３１に戻り、ステップ＃３１〜＃３４が繰り返し行われる。そして、所定時間が経過すると、ステップ＃１２に移行して通常運転モードに切り替えられる。
【００３１】
また、所定時間内にスタートキーの操作が行われると通常運転モードのステップ＃２３に移行し、所定時間内にコース選択キーの操作が行われると通常運転モードのステップ＃１２に移行する。スタートキーの操作によって予め脱水槽３０に投入された洗濯物の洗濯及び乾燥が既定の条件で行われる。また、コース選択キーの操作によって洗濯物に応じた洗濯及び乾燥の条件が設定される。
【００３２】
所定時間内に続行操作が行われると、ステップ＃４１に移行する。続行操作はステップ＃１５で判断されるデモ運転モードに移行する移行操作とは異なるキーにより行われる。そして、移行操作には複雑なキー操作（例えば、キーの長押しや複数キーの同時操作等）が割り当てられ、続行操作では移行操作よりも簡単なキー操作が割り当てられている。これにより、デモ運転モードの続行の指示を簡単に行うことができるとともに、デモ運転モードへの移行が容易にできないようになっている。
【００３３】
ステップ＃４１では電源キーによって電源オフの操作が行われたか否かが判断される。電源オフの操作が行われていない場合はステップ＃４２で所定時間（例えば、ステップ♯３４又はステップ♯４５の実行後１０分）が経過したか否かが判断される。所定時間が経過していない場合はステップ＃４３でスタートキーの操作によってデモ運転開始の指示があったか否かが判断される。デモ運転開始の指示がない場合はステップ＃４１に戻り、ステップ＃４１〜＃４３が繰り返し行われる。
【００３４】
そして、ステップ＃４１の判断によって電源オフの操作が行われた場合及びステップ＃４２の判断によって所定時間が経過すると、ステップ♯５１に移行してフラグＦに１が記憶される。これにより、デモ運転モードがオンであることが記憶部７９に記憶され、ステップ＃２６に移行して電源が停止される。このとき、デモ運転モードがオンであることが記憶されており、次回電源投入時にデモ運転モードが立ち上がる。
【００３５】
ステップ＃４３でスタートキーの操作によってデモ運転開始の指示があった場合、ステップ＃４４でデモ運転が実行される。ステップ♯４５ではデモ運転が終了するまで待機する。デモ運転が終了するとステップ♯４１に移行してステップ♯４１〜ステップ♯４５が繰り返し行われる。
【００３６】
本実施形態によるとデモ運転モードが立ち上がってから所定時間（第１待機期間）内になんらボタン操作を行わない場合、ステップ♯３１の判断により通常運転モードに移行する。このため、電源投入から所定時間経過まで無操作状態が続くと、使用者がデモ運転モードの設定解除を特別意識することなく行うことができる。従って、洗濯機の利便性が向上する。
【００３７】
また、ステップ♯３１の所定時間（第１待機期間）をステップ♯１２の所定時間（第２待機期間）より非常に短い時間に設定することにより（例えば、第１待機期間を３秒以内に設定し、第２待機期間を１０分に設定した場合）、デモ運転モードが立ち上がってから短時間で通常運転モードに移行する。これにより、使用者が通常の操作を行う前にデモ運転モードを解除することができる。
【００３８】
また、ステップ♯３２でスタートキーを入力した場合、所定時間（第１待機期間）内であっても通常運転モードに移行する。このため、使用者にデモ運転モードが実行されていることを認識させることなく通常運転モードに移行することができる。
【００３９】
また、同様にステップ♯３２でコース選択キーを入力した場合、所定時間（第１待機期間内）であっても通常運転モードに移行する。このため、使用者にデモ運転モードが実行されていることを認識させることなく通常運転モードに移行することができる。
【産業上の利用可能性】
【００４０】
本発明はデモ運転モードを備えた洗濯機に広く利用可能である。
【符号の説明】
【００４１】
１    洗濯機
１０    外箱
１１    上面板
１１ａ  出入口
３０    脱水槽
４１    モータ
４３    クラッチ・ブレーキ機構
５０    送風機
５４    ヒータ
７０    制御部
７１    操作部
７２    表示部
７７    給水弁
７９    記憶部
【図１】
2012147979.tif 000003
【図２】
2012147979.tif 000004
【図３】
2012147979.tif 000005